(57)【要約】      （修正有）【課題】指定時刻に、体に固定したロープを引っ張ったり、揺する動作、で寝ている人を目覚めさせる装置の提供。【解決手段】重し１を内装して重くした筐体内１９に、モーターで回転する巻取りローラーが、眠る人の足に取り付けたロープ１０を巻取って引っ張りながら、モーターで回転する回転体に変芯して取付けられたローラーガイドが、変芯回転することで、ロープ１０を引っ張ったり緩めたりの、揺すり動作をして、寝ている人を目覚めさせる時限目覚まし装置。【選択図】図１
2015017961.tif 000002
【特許請求の範囲】
【請求項１】
重し（１）を筐体（１９）内に取り付けて重量を持たせ，予約時刻に人体の一部に取り付けたロープ（１０）を巻取りローラー（１３）で巻取りながら、併設した回転体（８）の変心位置に設けられロープに接触するロープガイド（９）が、回転体（８）の回転により変心回転することで、ロープ（１０）を引っ張ったり緩めたりの、揺する動作をして、眠る人を目覚めさせる目覚し装置。
【発明の詳細な説明】
【技術分野】
【００１】本発明は、設定時刻に人体の一部に取り付けたロープを引っ張ったり緩めたりの揺すり動作をして、眠る人を目覚めさせる装置に関するものである。【００２】希望する時刻に起きられない人を目覚めさせる物は目覚し時計など多種あり、夫々に独特の特性を持っているが、誰にでも充分な効果があるとは云えないのが現状である。【００３】周囲が迷惑するほどの高音で鳴るベル目覚し時計を使用しても、決まった時刻に目が覚めず、正常な社会勤務が出来ないなど深刻な実例も多い。
【考案が解決しようとする課題】
指定起床時刻に他人の助けなしに目覚めることが出来ない人が、自身で起床できる補助器具があれば良い、本発明は眠る人を簡単な装置で、他人が起すと類似の動作で目覚めさせることを目的としている。
【課題を解決するための手段】
【００４】装置は眠る人の体、腕、足等をロープで引っ張るために、引っ張る装置自体に重量が必要で、装置には重量物の重し（１）が取付けてある。
【００５】寝る前に予め目覚し時刻を動作時刻予約タイマー（２）で設定し、予約時間になると装置が動作を開始する。
【００６】装置の動作開始で、巻取りローラー（１３）が体の一部に結んだロープ（１０）を巻取りながら引っ張る。
【００７】引っ張り圧力が掛かっているロープ（１０）に接するロープガイド（９）は、回転体（８）の回転軸より外れた変芯位置に設けてあるため、回転体（８）が回転する毎に変芯回転により、ロープ（１０）を引っ張ったり緩めたりの動作をすることになる。
【００８】目覚し時刻に装置が動作して目が覚めた時には、ロープ（１０）は引っ張られた状態で、止め具（１７）を寝た状態では緩めることは出来ない。
起きて、止め具（１７）を緩めることになる。
フック（７）はロープ（１０）を中途で分断することが出来る。
【発明の効果】
【００９】ロープ（１０）を足に固定した応用例の場合には、目覚し時刻になると、ロープ（１０）は足（１４）を引っ張りながら揺する動作をして、目覚しを促すが、時間が経過するに従い、足（１４）は更に引っ張られて、寝てはいられなくなり目が覚める。
【発明の実施形態】
考案の実施形態について実施例に基いて図面により説明する。
【０１０】発明の実施例では、巻取りローラー（１３）と、変芯駆動用の回転体（８）とは、夫々独立したモーターで駆動する例を示す。
ロープ（１０）を足（１４）に固定した応用例を示す。
【０１１】［１図］は装置全体像を示す斜視図で、筐体（１９）の内部には重し（１）が取り付けられ、装置の重量が重くしてある。
駆動機器収納部（４）には［２図］に詳細を示すロープ（１０）の巻上げ機構と変芯駆動をする機構を収納し、動作時間予約タイマー（２）で動作時刻を設定し、電源コード（３）を商用電源に挿入する。
予約開始時刻になると装置が動作を開始する。
【０１２】［２図］装置の駆動部構造を示す傾斜図で、巻取りモーター（１１）は指定時刻になると、巻取り減速機〔１２〕介して巻取りを開始し、ロープ（１０）の弛みが無くなると、足（１４）を引っ張る。
同時に変芯駆動モーター（５）は変芯駆動減速機（６）を介して回転体（８）を回転させるが、回転体（８）の回転軸中心を外した変芯位置に取り付けられたロープガイド（９）に接するロープ（１０）は、ロープガイド（９）が回転する毎に引き戻される状態になる。
ロープ（１０）は引っ張る力と引き戻される力が合成されて、足（１４）を引っ張ったり、緩めたりの揺する動作をすることになる。
【０１３】［３図］および［４図］は［２図］で示すロープ（１０）を引っ張ったり、緩めたりの揺する動作の構造を平面図で示す。
［３図］においてロープ（１０）は巻取りローラー（１３）によりロープ貫通穴（１８）を通じて巻取られるが、ロープガイド（９）の位置はロープ貫通穴（１８）に最も近い位置にある。
［４図］ではロープガイド（９）の位置は［３図］で示す位置から回転して、対角の位置に移動し、ロープ貫通穴（１８）に最も遠い位置にあり、ロープ（１０）を引き戻す状態となっている。
【０１４】［３図］および［４図］で示すロープ（１０）の動作は、［５］図に示す足（１４）を引っ張ったり緩めたりの、揺する動作をすることになる。
【０１５】［５図］はロープ（１０）を足（１４）に取付けバンド（１５）で固定した状態を示し、取付けバンド（１５）とロープ止め具（１７）の間には数珠状のスペーサー（１６）を設けてある。
【０１６】ロープ（１０）を足（１４）に固定し手引っ張った状態では、止め具（１７）では、ロープ（１０）を足（１４）から外すことは出来ない。
起き上がってロープ（１０）を緩めて外すことになる。
フック（７）はロープ（１０）を中間で分離することができる。
【発明の効果】
【０１７】高音ベル目覚まし時計でも朝起きられない、他人に目覚ましを依頼も出来ない人にとって朝起きは、生活の中で最も重要な行事となるが、本発明は寝ている人を他人が揺すって起こすと類似な動作で目覚めさることができる。
装置も簡単な構造で容易に利用ができる。
【図面の簡単な説明】
【０１８】
【図１】は装置本体の概略構造を示す斜視図。
【図２】はロープの巻取り機構と変芯駆動機構の配置を示す斜視図。
【図３】は変芯回転をするローラーガイドが、出口の貫通穴まで最短距離にある状態を示す平面図。
【図４】は変芯回転をするローラーガイドが回転して、ロープを引き戻す作用をする状態を示す平面図。
【図５】は足にロープを固定した状態を示す側面図。
【記号の説明】
【０１９】  １          重し
２          動作時刻予約タイマー
３          電源プラグ
４          駆動機器収納部
５          変芯駆動モーター
６          変芯駆動減速機
７          フック
８          回転体
９          ロープガイド
１０          ロープ
１１          巻取りモーター
１２          巻取り減速機
１３          巻取りローラー
１４          足
１５          取付けバンド
１６          スペーサー
１７          ロープ留め具
１８          ロープ貫通穴
１９          筐体
【図１】
2015017961.tif 000003
【図２】
2015017961.tif 000004
【図３】
2015017961.tif 000005
【図４】
2015017961.tif 000006
【図５】
2015017961.tif 000007